(57)【要約】【課題】マルチ視野対応のディスプレイを用いて表示を行う際、いずれの方向からでもイメージを適正な回転角で見えるようにする。【解決手段】画面に２以上のイメージを異なる表示方向で表示することで、画面を見る方向によって異なるイメージを視認可能としたマルチ視野ディスプレイを用いる。表示する各イメージの回転角を表示方向に応じて調整することで、いずれの方向から見た場合でも画像の回転角は適正となる。【選択図】図７
2008281834.tif 000002
【特許請求の範囲】
【請求項１】
画面に２以上のイメージを異なる表示方向で表示することで、画面を見る方向によって異なるイメージを視認可能としたマルチ視野ディスプレイと、
前記表示する各イメージの回転角を前記表示方向に応じて調整する調整手段とを具備することを特徴とする表示装置。
【請求項２】
前記調整手段は、前記表示方向と、撮影時における撮像装置の姿勢情報とに基づいて前記回転角を調整することを特徴とする請求項１に記載の表示装置。
【請求項３】
前記２以上のイメージは、同一の画像データから生成されるものであることを特徴とする請求項１または２に記載の表示装置。
【請求項４】
前記２以上のイメージは、互いに異なる画像データから生成されるものであることを特徴とする請求項１または２に記載の表示装置。
【請求項５】
前記表示装置の傾きを検出する傾き検出手段と、
前記検出された傾きに応じて表示方向を特定する特定手段とを有し、
前記調整手段は、前記特定された表示方向に応じて、該表示方向に対応づけられたイメージの回転角を調整することを特徴とする請求項１に記載の表示装置。
【請求項６】
観察者の音声を検出する検出手段と、
前記検出された音声の方向に応じて表示方向を特定する特定手段とを有し、
前記調整手段は、前記特定された表示方向に応じて、該表示方向に対応づけられたイメージの回転角を調整することを特徴とする請求項１に記載の表示装置。
【請求項７】
画像データをグループ分けするグループ化手段と、
観察者の音声を検出する検出手段と、
前記検出した音声から観察者を認識し、前記グループ化された画像データのうち前記認識された観察者に対応する画像データを前記マルチ視野ディスプレイに表示する制御手段とを具備することを特徴とする請求項１に記載の表示装置。
【請求項８】
画面に２以上のイメージを異なる表示方向で表示することで、画面を見る方向によって異なるイメージを視認可能としたマルチ視野ディスプレイと、
画像データから被写体を認識する認識手段と、
前記認識した被写体と予めデータベースに記録された被写体情報とを照合して被写体を特定し、特定した被写体ごとに画像データをグループ分けするグループ化手段と、
前記グループ分けされた各グループと表示方向とを対応づける対応づけ手段と、
前記各グループに含まれる画像データを対応する表示方向でそれぞれ表示すべく前記マルチ視野ディスプレイを制御する制御手段とを具備することを特徴とする表示装置。
【請求項９】
前記認識手段は、画像データから人物の顔を認識する顔認識手段であることを特徴とする請求項８に記載の表示装置。
【請求項１０】
請求項１〜９のいずれか１項に記載の表示装置を有するカメラ。
【発明の詳細な説明】
【技術分野】
【０００１】
本発明は、表示装置およびカメラに関する。
【背景技術】
【０００２】
複数の観察者が同じディスプレイから異なる情報を観察可能としたマルチ視野ディスプレイが知られている（例えば、特許文献１参照）。これは、例えば車載用ディスプレイ装置に適用され、画面をドライバ側から見るとナビゲーション情報が視認でき、助手席側から見ると映画が鑑賞できるというようなものである。
【０００３】
【特許文献１】特開2004-206089号公報
【発明の開示】
【発明が解決しようとする課題】
【０００４】
特許文献１では、同時に表示されるイメージの回転角については考慮されていないため、画面を見る方向によっては適正な回転角で見ることができないという欠点がある。
【課題を解決するための手段】
【０００５】
本発明に係る表示装置は、画面に２以上のイメージを異なる表示方向で表示することで、画面を見る方向によって異なるイメージを視認可能としたマルチ視野ディスプレイと、表示する各イメージの回転角を表示方向に応じて調整する調整手段とを具備することを特徴とする。
上記表示方向と、撮影時における撮像装置の姿勢情報とに基づいて回転角を調整するようにしてもよい。
２以上のイメージは、同一の画像データから生成されるものであってもよいし、異なる画像データから生成されるものであってもよい。
表示装置の傾きを検出する傾き検出手段と、検出された傾きに応じて表示方向を特定する特定手段とを有し、特定された表示方向に応じて、その表示方向に対応づけられたイメージの回転角を調整するようにしてもよい。
観察者の音声を検出する検出手段と、検出された音声の方向に応じて表示方向を特定する特定手段とを有し、特定された表示方向に応じて、その表示方向に対応づけられたイメージの回転角を調整するようにしてもよい。
画像データをグループ分けするグループ化手段と、観察者の音声を検出する検出手段と、検出した音声から観察者を認識し、グループ化された画像データのうち認識された観察者に対応する画像データをマルチ視野ディスプレイに表示する制御手段とを具備してもよい。
本発明に係る他の表示装置は、画面に２以上のイメージを異なる表示方向で表示することで、画面を見る方向によって異なるイメージを視認可能としたマルチ視野ディスプレイと、画像データから被写体を認識する認識手段と、認識した被写体と予めデータベースに記録された被写体情報とを照合して被写体を特定し、特定した被写体ごとに画像データをグループ化するグループ化手段と、グループ化された各グループと表示方向とを対応づける対応づけ手段と、各グループに含まれる画像データを対応する表示方向でそれぞれ表示すべくマルチ視野ディスプレイを制御する制御手段とを具備することを特徴とする。
上記認識手段は、画像データから人物の顔を認識する顔認識手段であってもよい。
【発明の効果】
【０００６】
本発明によれば、マルチ視野対応のディスプレイを用いて表示を行う際、いずれの方向からでもイメージを適正な回転角で見ることが可能となる。
【発明を実施するための最良の形態】
【０００７】
図１〜図９により本発明の一実施の形態を説明する。
図１において、デジタルカメラの背面には、画像表示が可能な液晶モニタ１、ズームボタン２、十字キー３などが設けられている。液晶ディスプレイ１は、４方向マルチ視野対応ディスプレイにて構成され、図示の如くディスプレイ画面の四辺方向からそれぞれ異なるイメージを観賞できる。マルチ視野の原理は、例えば特開2004-206089号公報（特許文献１）に開示されている。
【０００８】
図２は上記カメラの制御ブロック図である。１１はカメラ全体の動作を司るＣＰＵであり、操作部１２からの信号に応じて後述する各回路を制御する。操作部１２は、複数の操作部材（上述したズームボタン２や十字キー３、レリーズボタンなど）の操作に応じてオン・オフするスイッチ類から成る。姿勢センサ１３は、カメラの撮影姿勢、すなわち通常の横位置撮影か、グリップ（図１における右）が上の縦位置撮影か、グリップが下の縦位置撮影かを検出し、ＣＰＵ１１に入力する。メモリ１４は、カメラ制御用のプログラムが格納されたＲＯＭと、制御変数やテーブルが格納されるＲＡＭとから成る。
【０００９】
撮影モード時、撮影レンズ２１を通過した光束は、撮像素子２２に受光され光電変換される。撮像素子２２の光電変換出力は、画像処理回路２３にて種々の画像処理が施され、画像データが生成される。画像データは、圧縮・伸張回路２４で圧縮された後、画像ファイルとして画像記録媒体２５に記録される。画像ファイルは、Ｅｘｉｆ情報等の付加情報を含み、上記姿勢センサ１３にて検出された撮影姿勢は、その付加情報の一部として各画像ファイルに記録される。
【００１０】
またカメラは、撮影した画像を観賞するための再生モードを有し、再生モード時には、記録媒体２５に記録されている画像を液晶ディスプレイ１に表示することができる。この場合、観賞者が選んだ画像データが画像記録媒体２５から読み込まれ、圧縮・伸張回路２４にて伸張され、画像処理回路２３を経由して表示回路２６に送られる。表示回路２６は、入力された画像を液晶ディスプレイ１に表示する。表示すべき画像の選択は、ディスプレイ画面に複数のサムネイル画像を表示し、観賞者がその中から所望の画像を十字キー３等を用いて選択するのが一般的である。さらに、カメラはスライドショー機能を有し、スライドショーの実行が指示されると、予め選択された複数の画像が所定時間間隔で連続再生される。
【００１１】
次に、複数人で画像を観賞する方法について説明する。
例えば、４人のグループで旅行等に出かけたときに撮影した複数の画像を、カメラのスライドショー機能を用いて４人で同時に観賞することを考える。上述した４方向マルチ視野対応ディスプレイ１１を用いるので、カメラを卓上あるいは床面にディスプレイ１１を上にして置き、観賞者Ａ〜Ｄ（図１）が画面の四辺方向にそれぞれ位置どりして観賞する。
【００１２】
観賞に先立ち、スライドショーで用いる画像を選択するが、ここでは観賞者Ａ〜Ｄがそれぞれ見たい画像を順に選択する。
図３はその画像選択処理の一例を示し、メニュー画面等から「画像選択」を指示すると、ＣＰＵ１１がこのプログラムを起動する。ステップＳ１ではディスプレイ１１にサムネイル表示を行い、一人目の画像選択を許可する。サムネイル表示では、１画面（１ページ）に複数のサムネイル画像が表示され、十字キー３等を用いていずれかの画像を選択することができる。対象となる画像が１ページに収まらない場合は、所定の操作によりページ送り／戻しが行える。
【００１３】
ステップＳ２で画像選択操作が確認されると、選択された画像を特定するための情報（ここでは、画像ファイルのファイル名とする）をステップＳ３でメモリ１４に記憶する。ステップＳ４で画像選択の終了操作が判定されるまで、一人の鑑賞者が連続して複数の画像を選択することができる。例えば、自分が写っていない画像は興味がないという場合は、自分の写っている画像のみを選択すればよい。１人目の選択情報は、「グループ１」として記憶される。つまりグループ１には、１人目が選択した全画像のファイル名が格納される。
【００１４】
選択終了操作が確認されると、ステップＳ５で現在４人目か否か、つまり全員分の選択が終了したか否かを判定し、肯定されると処理を終了する。まだ全員分に達していない場合は、ステップＳ６で選択情報の記憶場所を変更し（例えば、「グループ１」→「グループ２」）、ステップＳ２に戻って次の観賞者の画像選択を許可する。２人目以降の選択情報は、グループ２〜４としてそれぞれ記憶される。
【００１５】
全員分の画像選択が終了すると、次に選択画像と表示方向の割り付けを行う。
図４はその割り付け処理の一例を示し、メニュー画面等で「表示方向の選択」が指示されると、ＣＰＵ１１がこのプログラムを起動する。ステップＳ１１では、図５のような画面をディスプレイ１１に表示する。画面中のＤ１〜Ｄ４は表示方向を表し、いずれかの方向を十字キー３等の操作で選択することができる。ここでいう表示方向は、画面を見る方向と１対１で対応し、例えば表示方向Ｄ１で表示された画像は、図１では画面の下辺側に位置する観賞者Ａのみが視認可能である。同様に表示方向Ｄ２〜Ｄ４で表示された画像はは、それぞれ観賞者Ｂ〜Ｄのみが視認可能である。
【００１６】
ステップＳ１２で表示方向の選択操作が確認されると、その方向を記憶するとともに、ステップＳ１３で図６のような画面表示に切換える。この画面は、図３の処理で決定された画像選択情報（グループ１〜グループ４）を選択肢として表示するもので、各グループ名と代表的なサムネイル画像とが対応づけられて表示される。この例では、グループ１，２，３，４に、それぞれ観賞者Ｂ，Ｄ，Ａ，Ｃによって選択された画像のファイル名が格納されている。なお、上記代表的な画像は、最初に選択された画像であってもよいし、撮影日時の最も新しい画像であってもよい。あるいは、代表画像を各自が選択できるようにしてもよい（例えば、自分自身が最も大きく写っている写真を選択するなど）。
【００１７】
図６の画面が表示されているときは、グループ１〜４のいずれかを十字キー３等の操作で選択することができる。ステップＳ１４でその選択操作が確認されると、ステップＳ１５に進み、上記ステップＳ１２の操作で決定された表示方向と、今回選択されたグループとを対応づけてメモリ１４に記憶する。ステップＳ１６では、全員分の対応づけが完了したか否かを判定し、肯定されると処理を終了させ、否定されるとステップＳ１１に戻る。なお、一度選択された表示方向を重複して選択することはできない。また、先にグループ選択を行った後に表示方向を選択するようにしてもよい。
【００１８】
図７は上記の処理よって記憶された対応関係を例示したもので、これは図６の例に対応している。なお、図７では表示方向とグループとが１対１で対応しているが、１つのグループを２以上の表示方向に割り付けることも可能である。ただし、１つの表示方向に２以上のグループを割り付けることはできない。
【００１９】
選択画像と表示方向の割り付けが完了した時点で、スライドショーの準備が整ったことになる。観賞者Ａ〜Ｄは、その割り付けに従ってカメラに対して位置どりする。図１における各人の配置は、図７の例に対応するものである。この状態でスライドショーの開始操作を行うと、スライドショーが開始される。
【００２０】
ところで、各観賞者は画面を見る方向が異なるため、その方向に応じて画像の回転角を調整しないと、適正な回転角で画像を観賞できない。ここで、回転角が適正な状態とは、撮影者が意図した画像の天地方向と、観賞者が画像を見たときの天地方向とが一致する状態を指す。
【００２１】
本実施形態では、図７に示すように、表示方向と撮影時のカメラ姿勢に応じて画像の回転角を調整するようにした。各姿勢における回転角は、時計回りを正としたもので、これらは表示方向Ｄ１〜Ｄ４によって一義的に決まる。したがって、予め回転角を表示方向に対応づけてテーブル化し、メモリ１４に記憶しておけばよい。
【００２２】
図８は上記回転角調整を含むスライドショー処理の一例を示している。
スライドショー開始操作がなされると、ＣＰＵ１１がこのプログラムを起動し、ステップＳ２１では表示すべき画像をグループ１〜４からそれぞれ１枚ずつ選び出す。ステップＳ２２では、選び出した４枚の画像に対して回転角を設定する。図７の例において、例えばグループ３から選び出した画像は、対応する表示方向がＤ１であるから、その画像が横位置撮影によるものであれば回転なし、グリップが上の縦位置撮影によるものであれば反時計回りに９０度回転、グリップが下の縦位置撮影によるものであれば時計回りに９０度回転となる。各画像の撮影姿勢は、上述した画像ファイルの付加情報から読み出される。
【００２３】
ステップＳ２３では、グループ１〜４から選んだ各画像を、それぞれ対応する表示方向で、かつ設定された回転角で表示する。ステップＳ２４では所定時間が経過するまで待ち、経過するとステップＳ２５でスライドショーの終了条件が成立したか否かを判定する。肯定されるとスライドショーを終了し、否定されると次の画像を表示すべくステップＳ２１に戻る。
【００２４】
図９はスライドショーにおける画像の見え方を示し、（ａ）〜（ｄ）は図１の表示方向Ｄ１〜Ｄ４（観賞者Ａ〜Ｄ）にそれぞれ対応している。いずれの観賞者にとっても表示画像の回転角は適正である。この例では、（ａ）〜（ｄ）とも横位置で撮影した画像を表示しているため、表示方向Ｄ２，Ｄ４では、縦横比が画像と画面とで一致しない。そのため、表示方向Ｄ２，Ｄ４では画面の上下部分は余白となる。逆に縦位置で撮影した画像を表示するときは、表示方向Ｄ１，Ｄ３で画面の左右が余白となる。
【００２５】
以上では、各観賞者が１人ずつ見たい画像を選択するようにしたが、画像自動選択機能を持たせてもよい。一例として、公知の顔認識技術を用いて観賞の対象となる各画像データから人物の顔を認識し、認識した顔の特徴に応じて人物ごとに画像をグループ分けすることが考えられる。例えば、観賞対象画像中に合計５人の人物が被写体として写っていたら、５つのグループ１〜５が作成されることになる。各鑑賞者は、上記図６の選択画面において、自分が写っているグループを選択すればよい。なお、風景など人物が写っていない画像や、グループ分け不能の画像は全グループに含まれるようにしてもよいし、いずれのグループにも含まれないようにしてもよい。また、そのいずれかを選択できるようにしてもよい。なお、各観賞者が同一の画像を見るようにしても構わない。その場合、画像は同一で、それぞれ回転角が異なる。
【００２６】
上述の画像自動選択機能を更に発展させ、いずれの画像に誰が写っているかをカメラが認識できるようにしてもよい。例えば、事前に人物の顔画像と、その人物を特定するための情報（名前やニックネーム等）を対応づけてデータベース化しておく。観賞の対象となる各画像データから認識した顔を上記データベース内の顔画像データと照合し、その人物が誰であるかを特定する。これによれば、上述と同様に画像選択が自動で行えるだけでなく、図６の選択画面において、対象となる人物の名前あるいはニックネーム等をグループ名として表示させることができる。したがって、グループ名として単なるコード情報（グループ１など）を表示する場合と比べてグループ選択がスムーズに行える。なお、この場合は各グループの代表的な画像は特に表示しなくてもよい。ただし、データベースに未登録の人物は名前が特定されないので、グループ１などのコード情報とともに代表画像を表示することが望ましい。
【００２７】
上述した図４の処理では、十字キー等の操作で表示方向を選択する例を示したが、例えば選択したい方向が下になるようにカメラを傾けることで、傾斜センサ１００（図２）の出力によってＣＰＵがその方向を検知し、それに基づいて表示方向を設定するようにしてもよい。例えば、ディスプレイ１が上を向くようにカメラを持ち、表示方向選択が可能な状態で右が下になるようにカメラを傾けると、表示方向Ｄ４が選択されるというようにする。これによれば、表示方向の選択が容易に行える。表示方向の選択は、画像（グループ）選択の前でも後でもよい。なお、ここで用いる傾斜センサは上記姿勢センサと兼用可能である。
【００２８】
また、表示方向の選択、つまりいずれの観賞者がいずれに位置どりするかをカメラが決定し、音声等によって各観賞者に指示するようにしてもよい。
【００２９】
さらに、グループ選択も十字キー等の操作で行う例を示したが、音声認識あるは話者認識技術を用いてグループ選択を行うようにしてもよい。
例えば、上述した画像自動選択機能によって、各グループと観賞者を特定する情報（名前やニックネーム）とが対応づけられているとする。グループ選択の際、観賞者が自分を特定する情報を話すと、その音声がカメラに設けたマイクＭ（図２）から入力され、ＣＰＵ１１は、音声認識技術を用いて入力された特定情報の内容を把握する。そして、把握した特定情報をグループ名としたグループの存否を検索し、存在する場合はそのグループを選択する。次いで、そのグループと、事前に選択された、あるいはこれから選択される表示方向とを対応づけて記憶する。これによれば、グループ選択にあたって観賞者は操作部材を操作する必要がなくなる。
【００３０】
なお、音声認識に代えて、音声データの特徴を検出して人物を特定する話者認識技術を用いてもよい。この場合は、グループ選択時に観賞者が話す内容は問われないが、観賞者の特定情報と音声データとを予め対応づけてデータベース化しておき、入力された音声データとデータベース内のデータとを照合する処理が必要となる。
【００３１】
図１０は、観賞者の発音によって表示方向選択，グループ選択およびそれらの対応づけを自動で行う例を示している。
図において、カメラの３箇所にマイクＭ１〜Ｍ３を設け、それぞれから音声が入力されるようにしておく。また、上述した画像自動選択機能によって、各グループと観賞者を特定する情報（名前やニックネーム）とが対応づけられているとする。この状態で、各観賞者がそれぞれの観賞位置につき、一人ずつ自分を特定する情報を話す。音声認識により、上述と同様にグループ選択が行える。さらに、３箇所からの入力音声の音圧を比較することで、話者がいずれの観賞位置にいるか、つまりいずれの表示方向に対応しているかを特定できる。すなわち、
・Ｍ１音圧＞Ｍ２音圧≒Ｍ３音圧であれば、表示方向Ｄ１
・Ｍ２音圧＞Ｍ１音圧≒Ｍ３音圧であれば、表示方向Ｄ２
・Ｍ２音圧≒Ｍ３音圧＞Ｍ１音圧であれば、表示方向Ｄ３
・Ｍ１音圧≒Ｍ３音圧＞Ｍ２音圧であれば、表示方向Ｄ４
と判断できる。
【００３２】
ＣＰＵ１１は、このように観賞者の１回の発音によってグループと表示方向の双方を即座に認識し、両者を対応づけて記憶する。これを人数分繰り返す。これによれば、観賞者は殆ど操作を行うことなくスライドショーの準備を整えられる。
【００３３】
以上では、観賞者Ａ〜Ｄがそれぞれ自分の見たい画像を選択する例を示したが、全員が同一の画像データから成る画像を観賞する場合も本発明を適用できる。この場合も表示方向によって回転角が調整されるので、画像データは同一でも表示イメージとしては各表示方向で異なる。またスライドショーを行う例を示したが、１枚ずつ画像を選択して観賞する場合も本発明を適用できる。さらに、画像記録媒体に記録された画像を表示する例を示したが、撮像素子２２によって連続して撮像される画像をディスプレイに逐次更新表示する、いわゆるスルー画表示においても上述と同様の４方向表示を適用できる。
【００３４】
また、４方向マルチ視野対応のディスプレイを用いたが、少なくとも２方向のマルチ視野ディスプレイであればよい。さらに、マルチ視野ディスプレイを持つものであれば、カメラ以外の表示装置にも本発明を適用できる。
【図面の簡単な説明】
【００３５】
【図１】本発明におけるカメラの背面構成と画像表示の方向とを説明する図。
【図２】上記カメラのブロック図。
【図３】画像選択（グループ作成）の手順例を示すフローチャート。
【図４】表示方向とグループとの対応づけの手順例を示すフローチャート。
【図５】表示方向の選択時の画面表示例を示す図。
【図６】グループ選択時の画面表示例を示す図。
【図７】表示方向、選択画像（グループ）、および画像回転角の対応づけの一例を示す図。
【図８】スライドショーの手順例を示すフローチャート。
【図９】各観賞者が画像を見たときの見え方を示す図。
【図１０】音声入力によって表示方向と選択画像の対応づけを行う例を説明する図。
【符号の説明】
【００３６】
１  ４方向マルチ視野ディスプレイ
２  十字キー
１１  ＣＰＵ
１３  姿勢センサ
２３  画像処理回路
２６  表示回路
１００  傾斜センサ
Ｍ，Ｍ１〜Ｍ３  マイク
【図１】
2008281834.tif 000003
【図２】
2008281834.tif 000004
【図３】
2008281834.tif 000005
【図４】
2008281834.tif 000006
【図５】
2008281834.tif 000007
【図６】
2008281834.tif 000008
【図７】
2008281834.tif 000009
【図８】
2008281834.tif 000010
【図９】
2008281834.tif 000011
【図１０】
2008281834.tif 000012